(57)【特許請求の範囲】
【請求項１】
脚と脚とが互いに交差し、この交点を支点として開閉可能に連結された３つ以上のＸ字型の脚部と、平面より見て環状に配置された前記脚部の隣り合う前記脚の上端同士を各々連結する取り換え可能な上側連結具と、
環状に配置された前記脚部の隣り合う脚の下端同士を各々連結する取り換え可能な下側連結具と、を有する天板を支持する折り畳み支持脚において、
前記上側連結具及び／または前記下側連結具には、前記脚が当接して前記脚部の最大開き角度を所定の角度に規定する角度固定部が備えられており、
前記上側連結具及び／または前記下側連結具を取り換えることにより、折り畳み支持脚の高さ調節が可能となることを特徴とする折り畳み支持脚。
【請求項２】
前記角度固定部を有する前記上側連結具は、前記天板を係止する上側連結具本体と前記角度固定部が備えられた角度固定部材とを有し、前記角度固定部を有する前記下側連結具は、接地する下側連結具本体と前記角度固定部が備えられた角度固定部材とを有していることを特徴とする請求項１に記載の折り畳み支持脚。
【請求項３】
前記角度固定部材は、前記上側連結具本体または前記下側連結具本体と前記脚とを軸支する軸体と同一の軸心を有する螺子によって、前記上側連結具本体または前記下側連結具本体に取り付けられている請求項２に記載の折り畳み支持脚。
【請求項４】
脚と脚とが互いに交差し、この交点を支点として開閉可能に連結された３つ以上のＸ字型の脚部と、平面より見て環状に配置された前記脚部の隣り合う前記脚の上端同士を各々連結する上側連結具と、
環状に配置された前記脚部の隣り合う脚の下端同士を各々連結する下側連結具と、を有する天板を支持する折り畳み支持脚において、
前記上側連結具及び／または前記下側連結具と別体であり、かつ、前記上側連結具及び／または前記下側連結具に前記脚が当接して前記脚部の最大開き角度を規定する所定の角度固定部が備えられ、
前記最大開き角度が所定の角度となるように前記角度固定部を配設することにより、折り畳み支持脚の高さ調節が可能となることを特徴とする折り畳み支持脚。
【請求項５】
【請求項５】   前記角度固定部は、一端部に回転の中心となる基端側ピンを備え、他端部に最大開き角度を決めるための先端側ピンを備え、前記上側連結具及び／または前記下側連結具は、前記基端側ピンが貫入する基端側穴があけられ、さらに、前記先端側ピンが貫入する２つ以上の先端側穴があけられている請求項４に記載の折り畳み支持脚。
【請求項６】
折り畳み支持脚を備える展示台であって、当該折り畳み支持脚が、請求項１〜５のいずれか１項に記載の展示台。
【発明の詳細な説明】
【技術分野】
【０００１】
この発明は、天板等を支持する折り畳み支持脚に関する。
【背景技術】
【０００２】
収納時はコンパクトにたたむことができ、使用時には簡単に脚部を開いて天板を支持してテーブル等とすることができる折り畳み式の支持脚は多くの用途に使用されている。例えば、特許文献１に記載の支持脚は、卓上工具用折り畳み式スタンドであり、安定性を向上させるものである。特許文献２に記載の支持脚は、ビーチパラソル等を安定的に支持するための支持脚であり、風等でぐらつかないように安定さを向上させるものである。特許文献３に記載の支持脚は、コンパクトなロール状に収納できる野外テーブル用のものである。
【先行技術文献】
【特許文献】
【０００３】
【特許文献１】特開２００５−１３１７８０号公報
【特許文献２】特登３６４６９８６号公報
【特許文献３】特開２０００−１３５１２０号公報
【発明の概要】
【発明が解決しようとする課題】
【０００４】
上記の特許文献１及び特許文献２に記載の折り畳み支持脚は、収納時は支持脚を閉じてコンパクトな形にすることができ、使用時には最大に開いてテーブル等の天板を支持する構造となっている。図１２は、特許文献２に記載の支持脚を示している。
【０００５】
特許文献２の支持脚は、図１２に示すように脚１１０と脚１１０とが互いに交差し、この交点を支点として開閉可能に連結された４つのＸ字型脚部１００と、環状に配置されたＸ字型脚部１００の隣り合う脚１１０の上端同士を各々連結する上側連結具２１０と、環状に配置されたＸ字型脚部１００の隣り合う脚の下端同士を各々連結する下側連結具２２０と、Ｘ字型脚部１００の支点上に各々取り付けられる中部連結具３００と、環状に配置されたＸ字型脚部１００の中心線上に配置された頂部連結具５１０と、環状に配置されたＸ字型脚部１００の中心線上であり且つ頂部連結具５１０の下方位置に配置された底部連結具５２０と、中部連結具３００と頂部連結具５１０との間を繋ぐ上側支持棒４１０と、中部連結具３００と底部連結具５２０との間を繋ぐ下側支持棒４２０を備える構造となっている。
【０００６】
特許文献１に記載の支持脚も同様であるが、図１２に示す支持脚では、使用時の支持脚の開状態は、脚を最大に開いた状態であり、パイプ７１０によってＸ字型脚部１００の開き角度は規定され、支持脚の上に載置される天板の支持脚下面からの高さは一定となる。百貨店やショッピングモール内の店舗で使用される広告用の商品展示台などでは、見栄えの観点から種々の高さを有する商品展示台を多用してレイアウトを行う場合が多い。そのような用途では、特許文献１や特許文献２の折り畳み式支持脚では、種々の高さを有する支持脚を多種類用意しなければならない。
【０００７】
特許文献３に記載の折り畳み式支持脚を図１３に示す。この支持脚では、テーブルを高くセットする場合、X字状の脚部の幅は狭くなるので、上部の連結部材８１０の上端の係合のための突起は、連結棒８０３の下面の所定の係合孔に係入されると共に、天板８０１の下面の係合突起が連結棒８０３の上面の連結孔に係入される。又、テーブルの高さを低くすると、X字状の脚部の幅は広くなるので、上部の連結部材８１０の上端の係合にための突起は、連結棒８０３の下面の所定の係合孔に係入される。このようにして、連結棒８０３の所定位置にあけられた複数の穴と連結部材８１０の上端の係合にための突起とを係合させることでテーブルの高さを調節している。
【０００８】
特許文献３に記載の方法でテーブルの高さを調節しようとすると、所定の長さを有する連結棒８０３という部材を必要とし、テーブルの天板の大きさが連結棒８０３の長さよりも小さな辺であるような板の場合、天板の下から連結棒が水平方向に飛びだしてしまい、商品展示台として見栄えが悪くなるという問題が生じる。
【０００９】
本発明の目的は、商品展示台等に用いられる折り畳み式支持脚において、容易かつ安価に高さを自由に変えることができる折り畳み式支持脚を提供することである。
【課題を解決するための手段】
【００１０】
本発明（１）は、脚と脚とが互いに交差し、この交点を支点として開閉可能に連結された３つ以上のＸ字型の脚部と、平面より見て環状に配置された前記脚部の隣り合う前記脚の上端同士を各々連結する上側連結具と、環状に配置された前記脚部の隣り合う脚の下端同士を各々連結する下側連結具と、を有する天板を支持する折り畳み支持脚において、前記上側連結具及び／または前記下側連結具には、前記脚が当接して前記脚部の最大開き角度を規定する角度固定部が備えられていることを特徴とする折り畳み支持脚である。
【００１１】
従来の折り畳み支持脚では、支持脚の上に載置する天板の高さは同一の支持脚を用いて天板の大きさいかんにかかわらず自由に高さを調節することは困難であったが、本発明（１）のような構造とすることによって、特許文献３の連結棒のような部材を用いず、同ーの脚部を用いて、所定の角度の角度固定部を備える上側連結具及び／または前記下側連結具を取り換えることで容易かつ安価に折り畳み支持脚の高さを変えることができる。これにより、本発明の折り畳み支持脚を商品展示のための台等に利用することによって、所有する展示台の高さの種類に制限されることなく自由に展示レイアウトを設計することができる。なお、この折り畳み支持脚は、展示台以外にも種々のテーブル(台)に用いることはもちろんである。
【００１２】
本発明（２）は、前記角度固定部を有する前記上側連結具は、前記天板を係止する上側連結具本体と前記角度固定部が備えられた角度固定部材とを有し、前記角度固定部を有する前記下側連結具は、接地する下側連結具本体と前記角度固定部が備えられた角度固定部材とを有していることを特徴とする本発明（１）に記載の折り畳み支持脚である。
【００１３】
本発明（２）では、角度固定部を有する上側連結具が、上側連結具本体と角度固定部が備えられた角度固定部材の少なくとも２つのパーツに分かれているので、最大開き角度を変更する場合は、角度固定部材のみを交換するだけで済むことになる。角度固定部を有する下側連結具の場合も同様である。
【００１４】
本発明（３）は、前記角度固定部材が、前記上側連結具本体または前記下側連結具本体と前記脚とを軸支する軸体と同一の軸心を有する螺子によって、前記上側連結具本体または前記下側連結具本体に取り付けられている本発明（２）の折り畳み支持脚である。
【００１５】
本発明（３）では、角度固定部材が、前記上側連結具本体または前記下側連結具本体と前記脚とを軸支する軸体と同一の軸心を有する螺子によって、前記上側連結具本体または前記下側連結具本体に取り付けられているので、構造を簡便とすることができる。
【００１６】
本発明（４）は、前記角度固定部が、前記上側連結具及び／または前記下側連結具と別体であり、かつ、取付け及び取り外しが可能であって、前記最大開き角度を調整することができる本発明（１）の折り畳み支持脚である。
【００１７】
本発明（４）の折り畳み支持脚では、最大開き角度を決めるための角度固定部が上側連結具及び／または下側連結具と別体であり、かつ、取付け及び取り外しが可能であり、最大開き角度を調整することができるので、変更する手間が省けて、簡単な部品で可能となる。
【００１８】
本発明（５）は、前記角度固定部は、一端部に回転の中心となる基端側ピンを備え、他端部に最大聞き角度を決めるための先端側ピンを備え、前記上側連結具及び／または前記下側連結具は、前記先端側ピンが貫入する基端側穴があけられ、さらに、前記先端側ピンが貫入する２つ以上の先端側穴が前記基端側穴を中心として同一円周上にあけられている本発明（４）の折り畳み支持脚である。
【００１９】
本発明（５）の折り畳み支持脚では、前記角度固定部が、一端部に回転の中心となる基端側ピンを備え、他端部に最大開き角度を決めるための先端側ピンを備え、前記上側連結具及び／または前記下側連結具において、前記先端ピンが貫入する基端側穴があけられ、さらに、前記先端側ピンが貫入する２つ以上の先端側穴が前記基端側穴を中心として同一円周上にあけられている構造をしているので、構造が簡単で、安価な部品で高さ調整が可能な折り畳み支持脚が可能となる。
【００２０】
本発明（６）は、折り畳み支持脚を備える展示台であって、当該折り畳み支持脚が、本発明（１）〜（５）のいずれかの展示台である。
【００２１】
本発明（６）の展示台では、本発明（１）〜（５）のいずれかの折り畳み支持脚を備えているので、容易かつ安価に高さを自由に変えることができる展示台とすることができる。
【発明の効果】
【００２２】
この発明の折り畳み支持脚によると、商品展示台等に用いられる折り畳み式支持脚において、比較的小さな部品を取り換えることによって、容易かつ安価に高さを自由に変えることができる折り畳み式支持脚を提供することができる。
【図面の簡単な説明】
【００２３】
【図１】この発明による折り畳み支持脚の実施例１の斜視図を示す。
【図２】この発明による実施例１の折り畳み支持脚に用いられる下側連結具の斜視図を示す。
【図３】この発明による実施例１の折り畳み支持脚に用いられる上側連結具の斜視図を示す。
【図４】この発明による実施例２の折り畳み支持脚に用いられる下側連結具本体とこの連結具本体に取り付けられる角度固定部材の斜視図を示す。
【図５】この発明による実施例２の折り畳み支持脚に用いられる上側連結具本体とこの連結具本体に取り付けられる角度固定部材の斜視図を示す。
【図６】この発明による実施例２の折り畳み支持脚に用いられる下側連結具本体、角度固定部材及び脚を組み立てる状況を模式的に示す。
【図７】この発明による実施例２の折り畳み支持脚に用いられる上側連結具本体、角度固定部材及び脚を組み立てる状況を模式的に示す。
【図８】この発明による実施例２の折り畳み支持脚に用いられる下側連結具、角度固定部材及び脚を組み立てた状態の断面を示す。
【図９】この発明による実施例３の折り畳み支持脚に用いられる下側連結具を斜視的に示す。
【図１０】この発明による実施例３の折り畳み支持脚に用いられる下側連結具及び角度固定具の断面を示す。
【図１１】この発明による実施例１の折り畳み支持脚を閉じた状態と最大限に開いた状態とその中間の状態を斜視的に示す。
【図１２】特許文献２に記載の折り畳み支持脚を示す。
【図１３】特許文献３に記載の折り畳み支持脚において、高さが変化している状況を示す。
【発明を実施するための形態】
【００２４】
この発明の実施の形態を、以下図面を参照して説明する。以下の説明において、上下は、図の上下をいうものとする。この「上下」は便宜的なもので、設置に際しては、上下が逆になったり、水平になったりすることもある。
【００２５】
図１は、本発明の実施例１の折り畳み支持脚１を最大に開いた状態を斜視的に示すものである。２本の脚１１で構成される脚部１０が４つあり、この４つの脚部が平面視で環状に配置されている。２本の脚１１は、X字状となるように中間連結具１２によって自在に動くように係止されている。実施例１では、脚部１０は４つであるが、脚部１０の数は３つ以上であれば台を支持する支持脚とすれば倒れることはない。
【００２６】
脚部１０の下部には図１に示すように、隣り合う脚部１０の脚１１の下端同士を各々連結する下側連結具２０が４つ備えられ、隣り合う脚部１０の脚１１の上端同士を各々連結する上側連結具本３０が４つ備えられている。
【００２７】
図２は、実施例１の折り畳み支持脚１に用いられる下側連結具２０の斜視図であり、接地する底板２１、上方に立設する立設板２２を備え、立設板２２の中央には補強のための支え板２４が底板２１と立設板２２に固定されている。立設板２２は、Ｌ字状に曲げられ、立設板右壁２２ａと立設板左壁２２ｂとからなり、立設板右壁２２ａと立設板左壁２２ｂには、脚１１を軸支するための貫通孔２３があけられている。立設板右壁２２ａと立設板左壁２２ｂのそれぞれには、最大開き角度を規定するための角度固定部２５が形成され、角度固定部２５の上面２５ａに脚１１が当接することによって最大開き角度が決定される。従って、垂線（２点鎖線）と角度固定部２５とがなす角度θが小さければ最大開き角度は小さくなって、折り畳み支持脚１の高さは高くなり、θが大きくなると折り畳み支持脚１の高さは低くなる。
【００２８】
図３は、実施例１の折り畳み支持脚１に用いられる上側連結具３０の斜視図であり、天板を支持する天板支持プレート３１、上方に突出して天板を係止する上方突出棒３４を備えている。天板支持プレート３１の下方にある本体部３２は、Ｌ字状に曲げられ、本体部右壁３２ａと本体部左壁３２ｂとからなり、本体部右壁３２ａと本体部左壁３２ｂには、脚１１を軸支するための貫通孔３３があけられている。本体部右壁３２ａと本体部左壁３２ｂのそれぞれには、最大開き角度を規定するための角度固定部３５が形成され、角度固定部３５の下面３５ａに脚１１が当接することによって最大開き角度が決定される。従って、垂線（２点鎖線）と角度固定部２５とがなす角度θが小さければ最大開き角度は小さくなって、折り畳み支持脚１の高さは高くなり、θが大きくなると折り畳み支持脚１の高さは低くなる。
【００２９】
図４は、実施例２の折り畳み支持脚１に用いられる下側連結具本体４０とこの連結具に取り付けられる角度固定部材６０の斜視図を示し、図の下側に下側連結具本体４０、上側に角度固定部材６０を示している。
【００３０】
下側連結具本体４０は、底板４１を有し、その上面に立設板４２が上方に向けて立設している。立設板４２はＬ字状に曲げられ、立設板右壁４２ａと立設板左壁４２ｂとからなっている。立設板４２の中央には補強のための支え板４４が底板４１と立設板４２に固定されている。立設板右壁４２ａと立設板左壁４２ｂのそれぞれには貫通孔４３があけられている。
【００３１】
角度固定部材６０も、Ｌ字状に９０度曲げられた本体部６２を有し、本体部右壁６２ａと本体部左壁６２ｂとからなっている。本体部右壁６２ａと本体部左壁６２ｂのそれぞれには貫通孔６３があけられている。本体部右壁６２ａと本体部左壁６２ｂには、水平方向に張り出した下部連結具合わせ部６４が形成され、下部連結具２０と角度固定部材６０を組み立てる際の基準とされる。
【００３２】
本体部右壁６２ａと本体部左壁６２ｂの上部には、角度固定部６１が下方内側に向けて傾いて設置されている。傾き角度は、左右に形成された角度固定部６１において同一角度をなしている。脚１１は、これらの角度固定部６１の上面６１ａに当接することによって、脚部１０の最大開度が決定される。垂直線に対する角度固定部６１の上面６１ａのなす角度が小さいと折り畳み支持脚１の高さは高くなり、垂直線に対する角度固定部６１の上面６１ａのなす角度が大きいと折り畳み支持脚１の高さは低くなる。角度固定部材６０のみを取り換えることによって折り畳み支持脚１の高さを自在に調整することができる。角度固定部材６０は、ストッパーの役割を果たすものであり、樹脂製でもよく、射出成型法によって一体で作成することもできる。
【００３３】
図５は、実施例２の折り畳み支持脚１に用いられる上側連結具本体５０とこの連結具に取り付けられる角度固定部材７０の斜視図を示し、図の下側に上側連結具本体５０、上側に角度固定部材７０を示している。
【００３４】
上側連結具本体５０は、天板支持プレート５１を有し、その上面に上方突出棒５４が上方に向けて立設している。この上方突出棒５４が、天板にあけられた貫通孔または凹部に嵌入して天板を係止する。天板支持プレート５１の下面に本体部５２が接続している。本体部５２はＬ字状に９０度曲げられた本体部右壁５２ａと本体部左壁５２ｂとからなっている。本体部右壁５２ａと本体部左壁５２ｂのそれぞれには貫通孔５３があけられている。
【００３５】
角度固定部材７０も、Ｌ字状に９０度曲げられた本体部７２を有し、本体部右壁７２ａと本体部左壁７２ｂとからなっている。本体部右壁７２ａと本体部左壁７２ｂのそれぞれには貫通孔７３があけられている。本体部右壁７２ａと本体部左壁７２ｂには、水平方向に張り出した上部連結部合わせ部７４が形成され、上部連結具５０と角度固定部材７０を組み立てる際の基準とされる。
【００３６】
本体部右壁７２ａと本体部左壁７２ｂの上部には、角度固定部７１が下方外側に向けて傾いて設置されている。傾き角度は、左右に形成された角度固定部７１において同一角度をなしている。脚１１は、これらの角度固定部７１の下面７１ａに当接することによって、脚部１０の最大開度が決定される。垂直線に対する角度固定部７１の下面７１ａのなす角度が小さいと折り畳み支持脚１の高さは高くなり、垂直線に対する角度固定部７１の下面７１ａのなす角度が大きいと折り畳み支持脚１の高さは低くなる。角度固定部材７０のみを取り換えることによって折り畳み支持脚１の高さを自在に調整することができる。角度固定部材７０は、ストッパーの役割を果たすものであり、樹脂製でもよく、射出成型法によって一体で作成することもできる。
【００３７】
下部連結部本体４０に合わせる角度固定部材６０と、上部連結部本体５０に合わせる角度固定部材７０とは、必ずしも両方必要とするものではなく、いずれか片方のみでもよい。脚部１０の開度は、いずれかのみでも規制することが可能だからである。もちろん、下部連結部本体４０と上部連結部本体５０の両方に角度固定部材６０、７０をそれぞれ備えても良い。
【００３８】
図６は、脚１１、下部連結部本体４０及び角度固定部材６０の組み立てを模式的に示している。脚１１の下端部に脚端部１３が形成され、この脚端部１３には貫通孔１４が形成されている。この貫通孔１４に、脚１１を軸支するための部材の１つであるキャップ１５の小径部が入れられる。右側の脚１１の貫通孔１４と、立設板右壁４２ａの貫通孔４３と、本体部右壁６２ａの貫通孔６３とが合わせられる。左側の脚１１の貫通孔１４と、立設板左壁４２ｂの貫通孔４３と、本体部左壁６２ｂの貫通孔６３とが合わせられる。
【００３９】
図７は、脚１１、上部連結部本体５０及び角度固定部材７０の組み立てを模式的に示している。脚１１の上端部に脚端部１３が形成され、この脚端部１３には貫通孔１４が形成されている。この貫通孔１４に、脚１１を軸支するための部材の一つであるキャップ１５の小径部が入れられる。右側の脚１１の貫通孔１４と、本体部右壁５２ａの貫通孔５３と、本体部右壁７２ａの貫通孔７３とが合わせられる。左側の脚１１の貫通孔１４と、本体部左壁５２ｂの貫通孔５３と、本体部左壁７２ｂの貫通孔７３とが合わせられる。
【００４０】
図８は、脚１１の脚端部１３と、立設板４２と、本体部６２とが螺子８０とキャップ１５とで接続する１つの方法を示している。左方から挿入される螺子８０は、螺子ヘッド８１、螺子第１シャフト８２、螺子第１雄ねじ８３、螺子第２シャフト８４及び螺子第３シャフト８５が図に示すように形成されている。右方から挿入されるキャップ１５は、キャップ本体１５ａに雄ねじが形成されている。この雄ねじが、脚端部１３にあけられた貫通孔１４に切られた雌ねじ１３ａとねじ合わされて、キャップ本体１５ａは、脚端部１３に固定される。
【００４１】
キャップ本体１５ａにあけられたキャップ本体貫通孔１５ｃを貫通する螺子第３シャフト８５の先端部には螺子第２雄ねじ８６が切られ、この雄ねじ６６と、キャップ本体蓋１５ｂの凹部であるキャップ本体蓋凹部１５ｅの内周面に切られたキャップ本体蓋雌ねじ１５ｄと螺合して、キャップ本体蓋１５ｂは取り付けられ、脚端部１３と立設板４２とは外れなくなる。
【００４２】
螺子８０とキャップ１５とが、角度固定部材６０と側連結具本体４０と脚１１とを軸支する軸体となる。螺子８０の螺子第１シャフト８２と螺子第２シャフト８４の間に切られた螺子第１雄ねじ８３と、立設板４２の貫通孔４３の内周面に切られた雌ねじ４３ａとがねじあわされて、本体部６２が立設板４２に固定される。この固定は、軸体と同軸で行われるので、別途他の方法で同軸でない方法で行われる場合と比べて組み立てが単純化され、別部品を必要としないので、構造を簡便とすることができる。
【００４３】
図９は、この発明による実施例３の折り畳み支持脚に用いられる下側連結具９０を斜視的したもので、最大開き角度が、パーツの取り換えなしで行うことができるタイプのものである。底板９１、立設板９２、貫通孔９３、支え板９４、立設板右壁９２ａ、立設板左壁９２ｂおよび下面９５ａについては、実施例１のものと同様であるので説明を省略する。
【００４４】
角度固定部９５は、一端部である基端部９５ｂに基端側ピン９５ｄが備えられ（図１０参照）、他端部である先端部９５ｃに先端側ピン９５ｅが備えられている（図１０参照）。立設板９２には、基端側ピン９５ｄが貫入する基端側穴９２ｄがあけられ、先端側ピン９５ｅが貫入する先端側穴９２ｃがあけられている。基端側ピン９５ｄ及び／または先端側ピン９５ｅは、基端側穴９２ｄ及び先端側穴９２ｃのそれぞれに取り換え可能な程度に圧入して挿入することが、使用中の脱落防止のために好ましい。また、ピンと穴との間にスナップロック方式の係合構造を設けるとより脱落しにくくなるのでさらに好ましい。
【００４５】
図１１は、折り畳み支持脚１を閉じているところ（Ｉ）、開度１００％で開いているところ（ＩＩＩ）及びその中間（ＩＩ）を斜視的に示している。（ＩＩ）の場合は（ＩＩＩ）の場合と比べて折り畳み支持脚１の高さは高くなっている。（ＩＩ）の状態で、角度固定部２５、３５の傾斜角度を所定の角度にして、脚部１０がそれ以上に開かないようにしておくと高さの高い折り畳み支持脚とすることができる。実施例２及び実施例３についても同様である。このようにして、容易かつ安価に、高さを自由に変えることができる折り畳み支持脚１を提供することができる。
【産業上の利用可能性】
【００４６】
この発明による折り畳み支持脚は、容易かつ安価に高さを自由に変えることができることから、種々の目的の商品展示台等に利用することができる。
【符号の説明】
【００４７】
１：折り畳み支持脚
１０：脚部
１１：脚
１２：中間連結具
１３：脚端部
１４：貫通孔
１５：キャップ
１５ａ：キャップ本体
１５ｂ：キャップ本体蓋
１５ｃ：キャップ本体貫通孔
１５ｄ：キャップ本体蓋雌ねじ
１５ｅ：キャップ本体蓋凹部
２０：下側連結具
２１：底板
２２：立設板
２２ａ：立設板右壁
２２ｂ：立設板左壁
２３：貫通孔
２４：支え板
２５：角度固定部
２５ａ：上面
３０：上側連結部
３１：天板支持プレート
３２：本体部
３２ａ：本体部右壁
３２ｂ：本体部左壁
３３：貫通孔
３４：上方突出棒
３５：角度固定部
３５ａ：下面
４０：下側連結具本体
４１：底板
４２：立設板
４２ａ：立設板右壁
４２ｂ：立設板左壁
４３：貫通孔
４３ａ：雌ねじ
４４：支え板
５０：上側連結具本体
５１：天板支持プレート
５２：本体部
５２ａ：本体部右壁
５２ｂ：本体部左壁
５３：貫通孔
５４：上方突出棒
６０：角度固定部材
６１：角度固定部
６１ａ：上面
６２：本体部
６２ａ：本体部右壁
６２ｂ：本体部左壁
６３：貫通孔
６４：下部連結具合わせ部
７０：角度固定部材
７１：角度固定部
７１ａ：下面
７２：本体部
７２ａ：本体部右壁
７２ｂ：本体部左壁
７３：貫通孔
７４：上部連結部合わせ部
８０：螺子
８１：螺子ヘッド
８２：螺子第１シャフト
８３：螺子第１雄ねじ
８４：螺子第２シャフト
８５：螺子第３シャフト
８６：螺子第２雄ねじ
９０：下側連結具
９１：底板
９２：立設板
９２ａ：立設板右壁
９２ｂ：立設板左壁
９２ｃ：先端側穴
９２ｄ：基端側穴
９３：貫通孔
９４：支え板
９５：角度固定部
９５ａ：下面
９５ｂ：基端部（一端部）
９５ｃ：先端部（他端部）
９５ｄ：基端側ピン
９５ｅ：先端側ピン
【図１】
0006967569.tif 000002
【図２】
0006967569.tif 000003
【図３】
0006967569.tif 000004
【図４】
0006967569.tif 000005
【図５】
0006967569.tif 000006
【図６】
0006967569.tif 000007
【図７】
0006967569.tif 000008
【図８】
0006967569.tif 000009
【図９】
0006967569.tif 000010
【図１０】
0006967569.tif 000011
【図１１】
0006967569.tif 000012
【図１２】
0006967569.tif 000013
【図１３】
0006967569.tif 000014